(57)【要約】      （修正有）【課題】シンプルでユニークな形状の容器であって、１枚の包装材料を折り込み、折り畳んで形成される包装容器を提供する。【解決手段】包装容器は、矩形前壁及び矩形裏壁を形成する第１パネル及び第３パネルと、三角左右側壁を形成する第２パネル及び第４パネルと第５パネルとからなる１枚の包装材料から成形された包装容器であって、第２パネル及び第４パネルにそれぞれ、縦山折れ線と下部横断山折れ線との交点からパネルの上部横断折れ線中央に設けられた２本の谷折れ斜め線とを有し、包装容器の縦断面が実質的に三角形状である。【選択図】図１
2009137634.tif 000002
【特許請求の範囲】
【請求項１】
矩形前壁及び矩形裏壁を形成する第１パネル及び第３パネルと、三角左右側壁を形成する第２パネル及び第４パネルとからなる１枚の包装材料から成形された包装容器であって、
該包装材料が、該第４パネルと隣接し、該第１パネルと熱融着されて縦シール部を構成する第５パネルと、
該第１パネルと該第２パネルとの境界に設けられた第１縦山折れ線と、該第２パネルと該第３パネルとの境界に設けられた第２縦山折れ線と、該第３パネルと該第４パネルとの境界に設けられた第３縦山折れ線と、該第４パネルと該第５パネルとの境界に設けられた第４縦山折れ線と、
該第１〜第５パネルの下部に同じ高さに連続的に設けられた下部横断山折れ線と、該第１〜第５パネルの上部に同じ高さに連続的に設けられた上部横断折れ線と、
該下部横断山折れ線の下方の該第１〜第５パネルに形成された、第１矩形底壁、該縦山折れ線と該下部横断山折れ線との交点から該パネルの下端中央に設けられた２本の谷折れ斜め線を有する第１折込み三角壁、第２矩形底壁及び、該縦山折れ線と該下部横断山折れ線との交点から該パネルの下端中央に設けられた２本の谷折れ斜め線を有する第２折込み三角壁と、
該第２パネル及び該第４パネルにそれぞれ、該縦山折れ線と該下部横断山折れ線との交点から該パネルの該上部横断折れ線中央に設けられた２本の谷折れ斜め線と、
該上部横断折れ線の上方の該第２及び第４パネルのそれぞれに形成された、該上部横断折れ線中央から該パネルの上端中央に設けられた１本の谷折れ縦線とを有し、
該包装容器の縦断面が実質的に三角形状であることを特徴とする包装容器。
【発明の詳細な説明】
【技術分野】
【０００１】
本発明は、包装容器に関する。
【背景技術】
【０００２】
清涼飲料、牛乳等の内容物を収容するための包装容器は、包装材料を、例えば、ブリック状、ゲーブルトップ状、四面体状等に成形することによって得る。
図３に、ゲーブルトップ型（切妻屋根型）の包装容器の斜視図、図４に、その包装容器の展開図を示す。
ゲーブルトップ型（切妻屋根型）の包装容器３６は、側壁３６ｂと、屋根部分３６ａと、トップシール部３６ｃと、底部（ボトムシール部、図示せず）とからなる。
【０００３】
包装容器を展開した包装材料は、互いに隣接させて形成された第１パネルＰ１、第２パネルＰ２、第３パネルＰ３、第４パネルＰ４及び第５パネルＰ５から成る。第５パネルＰ５は、縦シール部を構成し、第１パネルＰ１と熱融着される。
【０００４】
第１〜第５パネルの下部に同じ高さに連続的に設けられた下部横断山折れ線ｘと、第１〜第５パネルの上部に同じ高さに連続的に設けられた２本の上部横断折れ線ｙ、ｚとを有する。
第１パネルＰ１は、包装容器の側壁を構成する矩形部ａ１、包装容器の屋根壁を構成する矩形部ｂ１、包装容器の底壁を構成する矩形部ｃ１、及び包装容器のトップシール部を構成する矩形部ｄ１から成る。第２パネルＰ２は、包装容器の側壁を構成する矩形部ａ２、包装容器の屋根側壁を構成する３枚の三角形部ｂ２、包装容器の底壁を構成する３枚の三角形部ｃ２及び包装容器の横シール部を構成する矩形部ｄ２から成る。
【０００５】
第３パネルＰ３は、包装容器の側壁を構成する矩形部ａ３、包装容器の屋根壁を構成する矩形部ｂ３、包装容器の底壁を構成する矩形部ｃ３、及び包装容器のトップシール部を構成する矩形部ｄ３から成る。第４パネルＰ４は、包装容器の側壁を構成する矩形部ａ４、包装容器の屋根側壁を構成する３枚の三角形部ｂ４、包装容器の底壁を構成する３枚の三角形部ｃ４及び包装容器の横シール部を構成する矩形部ｄ４から成る。
【０００６】
第１パネルＰ１と第５パネルＰ５とを熱融着してを筒状にした後、第２及び第４パネルの底壁を構成する部分を折り畳み、第１パネル及び第３パネルの底壁相当部分を交互に重ねて熱圧着してシールして底壁を形成し、第２及び第４パネルの屋根側壁を構成する３枚の三角形部分を折り畳み、第１パネル及び第３パネルのトップシール部を構成する矩形部分を対向して重ねて熱圧着し、トップシールして図３に示す切妻屋根型包装容器を得る。
【０００７】
切妻屋根型包装容器は、１枚の包装材料から得られる液体食品用容器の形状として周知であるが、陳腐な形状デザインとなっている。
これに対して、ユニークな形状デザインを持つ容器が提案されている。（例えば、特許文献参照）
【特許文献１】特開昭５８−１９３２４９号公報
【特許文献２】特開昭５９−０２６２４３号公報
【特許文献３】実開昭６２−１６８３２１号公報
【特許文献４】実開昭６２−１６８３２１号公報
【特許文献５】実開平０５−０００６３６号公報
【特許文献６】特開２００４−２６９０４５号公報
【特許文献７】特開２００７−１１２４９２号公報
【発明の開示】
【発明が解決しようとする課題】
【０００８】
しかしながら、提案されている容器の多くは、複雑な形状若しくは煩雑な形状の容器あり、そのうちのいくつかは、複数枚の包装材料若しくは複合材料から得られる液体食品用容器である。
本発明は、シンプルでユニークな形状の容器であって、１枚の包装材料を折り込み、折り畳んで形成される包装容器を提供することを目的とする。
【課題を解決するための手段】
【０００９】
本発明の包装容器は、矩形前壁及び矩形裏壁を形成する第１パネル及び第３パネルと、三角左右側壁を形成する第２パネル及び第４パネルとからなる１枚の包装材料から成形された包装容器であって、
包装材料が、第４パネルと隣接し、第１パネルと熱融着されて縦シール部を構成する第５パネルと、
第１パネルと第２パネルとの境界に設けられた第１縦山折れ線と、第２パネルと第３パネルとの境界に設けられた第２縦山折れ線と、第３パネルと第４パネルとの境界に設けられた第３縦山折れ線と、第４パネルと第５パネルとの境界に設けられた第４縦山折れ線と、
第１〜第５パネルの下部に同じ高さに連続的に設けられた下部横断山折れ線と、第１〜第５パネルの上部に同じ高さに連続的に設けられた上部横断折れ線と、
下部横断山折れ線の下方の第１〜第５パネルに形成された、第１矩形底壁、縦山折れ線と下部横断山折れ線との交点からパネルの下端中央に設けられた２本の谷折れ斜め線を有する第１折込み三角壁、第２矩形底壁及び、縦山折れ線と下部横断山折れ線との交点からパネルの下端中央に設けられた２本の谷折れ斜め線を有する第２折込み三角壁と、
第２パネル及び第４パネルにそれぞれ、縦山折れ線と下部横断山折れ線との交点からパネルの上部横断折れ線中央に設けられた２本の谷折れ斜め線と、
上部横断折れ線の上方の第２及び第４パネルのそれぞれに形成された、上部横断折れ線中央からパネルの上端中央に設けられた１本の谷折れ縦線とを有し、
包装容器の縦断面が実質的に三角形状であることを特徴とする。
【発明の効果】
【００１０】
この発明による包装容器は、矩形前壁及び矩形裏壁を形成する第１パネル及び第３パネルと、三角左右側壁を形成する第２パネル及び第４パネルとからなる１枚の包装材料から成形された包装容器である。
１枚の材料から成形されるので、簡易な工程で製造することができる。また、包装容器の前壁及び裏壁が矩形であるので、容器のデザインを比較的広く利用することができる。包装容器の左右側壁が三角形状であるので、包装容器の縦断面が実質的に三角形状とすることができる。
【００１１】
包装材料が、第４パネルと隣接する第５パネルを有し、第１パネルと熱融着するので、縦シール部を構成し、容器を筒状にすることができる。
しかも、第１パネルと第２パネルとの境界に設けられた第１縦山折れ線と、第２パネルと第３パネルとの境界に設けられた第２縦山折れ線と、第３パネルと第４パネルとの境界に設けられた第３縦山折れ線と、第４パネルと第５パネルとの境界に設けられた第４縦山折れ線とを有するので、これらの山折れ線を角にして、容器を角筒状にすることができる。
【００１２】
第１〜第５パネルの下部に同じ高さに連続的に設けられた下部横断山折れ線と、下部横断山折れ線の下方の第１〜第５パネルに形成された、第１矩形底壁、縦山折れ線と下部横断山折れ線との交点からパネルの下端中央に設けられた２本の谷折れ斜め線を有する第１折込み三角壁、第２矩形底壁及び、縦山折れ線と下部横断山折れ線との交点からパネルの下端中央に設けられた２本の谷折れ斜め線を有する第２折込み三角壁と、を有する。
これらの構成により、例えば、第２及び第４パネルの底壁を構成する部分を折り畳み、第１パネル及び第３パネルの底壁相当部分を交互に重ねて熱圧着してシールして容器の底（底壁）を形成することができる。
【００１３】
第２パネル及び第４パネルにそれぞれ、縦山折れ線と下部横断山折れ線との交点からパネルの上部横断折れ線中央に設けられた２本の谷折れ斜め線を備える。
この２本の谷折れ斜め線と下部横断山折れ線とで、包装容器の左右側壁を三角形状にする。
【００１４】
第１〜第５パネルの上部に同じ高さに連続的に設けられた上部横断折れ線と、上部横断折れ線の上方の第２及び第４パネルのそれぞれに形成された、上部横断折れ線中央からパネルの上端中央に設けられた１本の谷折れ縦線とを有する。
これらの構成から、例えば、第１パネル及び第３パネルのトップシール部を構成する矩形部分を対向して重ねて熱圧着し、トップシールすることができる。
【００１５】
包装容器の縦断面が実質的に三角形状である。
１枚の包装材料を折り込み、折り畳んで形成される包装容器をシンプルでユニークな形状とすることができる。
【発明を実施するための最良の形態】
【００１６】
以下、本発明の実施の形態について図面を参照しながら詳細に説明する。
図１は、本発明の一実施例の包装容器を示す斜視図である。
図２は、図１に示す容器を展開した包装材料の展開図である。
図３は、従来の包装容器を示す斜視図である。
図４は、図３に示す容器を展開した包装材料の展開図である。
【００１７】
この実施例の容器の展開包装材料を図２に示す。この例では、矩形前壁Ａ１及び矩形裏壁Ａ３を形成する第１パネルＰ１及び第３パネルＰ３と、三角左右側壁Ａ２、Ａ４を形成する第２パネルＰ２及び第４パネルＰ４と、第４パネルＰ４と隣接し第１パネルＰ１と熱融着されて縦シール部（斜線部分）を構成する第５パネルＰ５とからなる１枚の包装材料から成形される。
【００１８】
１枚の包装材料は、第１パネルＰ１と第２パネルＰ２との境界に設けられた第１縦山折れ線ｊと、第２パネルＰ２と第３パネルＰ３との境界に設けられた第２縦山折れ線ｋと、第３パネルＰ３と第４パネルＰ４との境界に設けられた第３縦山折れ線ｍと、第４パネルＰ４と第５パネルＰ５との境界に設けられた第４縦山折れ線ｎとを有する。
【００１９】
第１〜第５パネルＰ１、Ｐ２、Ｐ３、Ｐ４、Ｐ５の下部に同じ高さに連続的に設けられた下部横断山折れ線ｘと、第１〜第５パネルＰ１、Ｐ２、Ｐ３、Ｐ４、Ｐ５の上部に同じ高さに連続的に設けられた上部横断折れ線ｚとを有する。
【００２０】
下部横断山折れ線ｘの下方の第１〜第５パネルＰ１、Ｐ２、Ｐ３、Ｐ４、Ｐ５に形成された、第１矩形底壁Ｃ１、縦山折れ線と下部横断山折れ線との交点からパネルの下端中央に設けられた２本の谷折れ斜め線ｏ１、ｏ２を有する第１折込み三角壁Ｃ２、第２矩形底壁Ｃ３及び、縦山折れ線と下部横断山折れ線との交点からパネルの下端中央に設けられた２本の谷折れ斜め線ｐ１、ｐ２を有する第２折込み三角壁Ｃ４とを有する。
【００２１】
第２パネル及び第４パネルにそれぞれ、縦山折れ線と下部横断山折れ線との交点からパネルの上部横断折れ線中央に設けられた２本の谷折れ斜め線ｑ１、ｑ２、ｒ１、ｒ２とを有する。
【００２２】
上部横断折れ線の上方の第２及び第４パネルＰ２、Ｐ４のそれぞれに形成された、上部横断折れ線中央からパネルの上端中央に設けられた１本の谷折れ縦線s１、t１とを有する。
【００２３】
この態様では、包装材料の第５パネルＰ５が第１パネルＰ１と熱融着するので、縦シール部（斜線部分）を構成し、容器を筒状にする。
これらの構成により、第２及び第４パネルの底壁を構成する部分Ｃ２、Ｃ４を谷折れ斜め線ｏ１、ｏ２と谷折れ斜め線ｐ１、ｐ２とで折り畳み、第１パネル及び第３パネルの底壁相当部分Ｃ１、Ｃ３を交互に重ねて熱圧着してシールして容器の底（底壁）を形成することができる。
【００２４】
第１〜第５パネルの上部に同じ高さに連続的に設けられた上部横断折れ線zと、上部横断折れ線の上方の第２及び第４パネルのそれぞれに形成された、上部横断折れ線中央からパネルの上端中央に設けられた１本の谷折れ縦線s１、t１とを有するので、第１パネル〜第４パネルのトップシール部を構成する矩形部分Ｄ１、Ｄ２、Ｄ３、Ｄ４を谷折れ縦線s１、t１で折り曲げ対向して重ねて熱圧着し、トップシールする。
【００２５】
上記実証され、図１に示すように、縦断面が実質的に三角形状である包装容器を得ることができる。
１枚の包装材料を折り込み、折り畳んで形成される包装容器をシンプルでユニークな形状とする。
【００２６】
なお、本発明は前記実施の形態に限定されるものではなく、本発明の趣旨に基づいて種々変形させることが可能であり、それらを本発明の範囲から排除するものではない。
【産業上の利用可能性】
【００２７】
この発明の包装容器によって、牛乳、ジュース、ミネラルウォーターなどの飲料、流動食品などを包装する容器に利用することができる。
【図面の簡単な説明】
【００２８】
【図１】本発明の一実施例の包装容器を示す斜視図である。
【図２】図１に示す容器を展開した包装材料の展開図である。
【図３】従来の包装容器を示す斜視図である。
【図４】図３に示す容器を展開した包装材料の展開図である。
【符号の説明】
【００２９】
第１〜第５パネル    Ｐ１、Ｐ２、Ｐ３、Ｐ４、Ｐ５
矩形前壁    Ａ１
矩形裏壁    Ａ３
三角左右側壁    Ａ２、Ａ４
【図１】
2009137634.tif 000003
【図２】
2009137634.tif 000004
【図３】
2009137634.tif 000005
【図４】
2009137634.tif 000006